(57)【特許請求の範囲】
【請求項１】
電気自動車に接続して使用される充電用コネクタを先端に有する充電用ケーブルの保持構造であって、
一対の立壁部の間に形成されたケーブル引掛け溝を備え、
前記立壁部の、前記ケーブル引掛け溝に沿って巻き取ったケーブルの外側位置に、そのケーブルの巻き取り方向に向けて充電用コネクタを保持する充電用コネクタ保持部を備える
ことを特徴とする充電用ケーブル保持構造。
【請求項２】
該一対の立壁部の上端部を、充電用コネクタ保持部として形成したことを特徴とする請求項１記載の充電用ケーブル保持構造。
【請求項３】
該ケーブル引掛け溝の上部で該溝幅を拡張し、より溝幅の大きい充電用コネクタ保持溝として形成したことを特徴とする請求項２記載の充電用ケーブル保持構造。
【請求項４】
充電用コネクタは充電用ピンを備えた頭部と握手部が略く字状に形成されていて、
前記握手部を充電用コネクタ保持部で保持することにより
頭部が下向きに保持したことを特徴とする請求項１〜３に記載の充電用ケーブル保持構造。
【発明の詳細な説明】
【技術分野】
【０００１】
本発明は充電用ケーブル保持構造に関するものである。
【背景技術】
【０００２】
近年、脱石油燃料やＣＯ２排出削減ニーズの高まりといった観点から、電気自動車に対する関心が高まると共に、電気自動車用充電装置の普及が求められている。
【０００３】
一般に、電気自動車用充電装置には、先端に充電用コネクタを有する充電用ケーブルが備えられ、充電を行う際に、該電気自動車用充電装置から充電用コネクタを外して、電気自動車に設けたコネクタと接続して使用される。
【０００４】
該充電用コネクタと充電用ケーブルを不使用時に収納しておく構造に関し、該電気自動車用充電装置の外側面に設けたコネクタ収納部にコネクタを保持させ、ケーブル収納かごに充電用ケーブル保持させる構造（例えば、特許文献１）が開示されている。
【０００５】
しかし、コネクタを収納するコネクタ収納部とケーブルを収納するケーブル収納部を各々別個独立に設ける構造では、充電用コネクタと充電用ケーブルをまとめてコンパクトに収納が行えない問題や、各収納部を設置する手間がかかるという問題があった。
【先行技術文献】
【特許文献】
【０００６】
【特許文献１】特開平１１−１２２７１４号公報
【発明の概要】
【発明が解決しようとする課題】
【０００７】
本発明の目的は前記問題を解決し、先端に充電用コネクタを有する充電用ケーブルを、簡易な構造の収納部にコンパクトに収納可能とした充電用ケーブル保持構造を提供することである。
【課題を解決するための手段】
【０００８】
上記課題を解決するためになされた本発明の充電用ケーブル保持構造は、電気自動車に接続して使用される充電用コネクタを先端に有する充電用ケーブルの保持構造であって、一対の立壁部の間に形成されたケーブル引掛け溝を備え、前記立壁部の、前記ケーブル引掛け溝に沿って巻き取ったケーブルの外側位置に、そのケーブルの巻き取り方向に向けて充電用コネクタを保持する充電用コネクタ保持部を備えることを特徴とするものである。
【０００９】
請求項２記載の発明は、請求項１記載の充電用ケーブル保持構造において、該ケーブル引掛け溝を形成する一対の立壁部の上端部を、充電用コネクタ保持部として形成したことを特徴とするものである。
【００１０】
請求項３記載の発明は、請求項１記載の充電用ケーブル保持構造において、該ケーブル引掛け溝の上端部で該溝幅を拡張し、より溝幅の大きい充電用コネクタ保持溝として形成したことを特徴とするものである。
【００１１】
請求項４記載の発明は、請求項１〜３に記載の充電用ケーブル保持構造において、充電用コネクタは充電用ピンを備えた頭部と握手部が略く字状に形成されていて、前記握手部を充電用コネクタ保持部で保持することにより、頭部が下向きに保持したことを特徴とするものである。
【発明の効果】
【００１２】
本発明に係る充電用ケーブル保持構造は、電気自動車に接続して使用される充電用コネクタを先端に有する充電用ケーブルの保持構造であって、一対の立壁部の間に形成されたケーブル引掛け溝を備え、前記立壁部の、前記ケーブル引掛け溝に沿って巻き取ったケーブルの外側位置に、そのケーブルの巻き取り方向に向けて充電用コネクタを保持する充電用コネクタ保持部を備える構成を有する。当該構成によれば、充電用コネクタと充電用ケーブルを、各々別個独立に設けた収納部に収納する必要がなく、簡易な構造で、充電用コネクタと充電用ケーブルをまとめてコンパクトに収納することができる。
【図面の簡単な説明】
【００１３】
【図１】充電用ケーブル保持構造を正面方向からみた全体斜視図である。
【図２】図１の側面図である。
【図３】１の背面方向からみた全体斜視図である。
【図４】ケーブル保持具の側面図である。
【図５】ケーブル保持具の全体斜視図である。
【図６】充電用コネクタの全体斜視図である。
【図７】カバーを備えたケーブル保持具の側面図である。
【発明を実施するための形態】
【００１４】
以下に本発明の好ましい実施形態を示す。
【００１５】
図１には、本発明の充電用ケーブル保持構造を正面方向からみた全体斜視図を示している。図２は、図１の側面図を示し、図３は、図１の背面方向からみた全体斜視図を示している。
【００１６】
図１に示すように、本発明の充電用ケーブル保持構造は、先端に充電用コネクタ１を有する充電用ケーブル２を垂直方向に巻き取って保持する構造であり、垂直方向に巻き取った該充電用ケーブル２を引掛けて保持するケーブル引掛け溝３を有し、該ケーブル引掛け溝３が形成された一対の立壁部４に沿って、充電用コネクタ保持部５を形成し、該充電用コネクタ保持部は、充電用ケーブル２の巻き取り方向に沿って充電用コネクタ１を保持する。
【００１７】
図４には、ケーブル引掛け溝３を形成したケーブル保持具６の側面図を示し、図５には、ケーブル引掛け溝３を形成したケーブル保持具６の全体斜視図を示し、図６には、充電用コネクタ１の全体斜視図を示している。該ケーブル保持具４の材質は樹脂が好ましいが、ゴム等の素材であってもよい。
【００１８】
充電用コネクタ１は、図６に示すように、充電用ピン（図示せず）を備えた頭部１cと握手部１aとが略く字状に形成されていている。該頭部１cと握手部１ａの境目近傍には若干の張出部1ｂが形成されている。
【００１９】
該ケーブル保持具６は、図４および図５に示すように、該ケーブル保持具６を壁面や支柱に取り付けるための取付部８を左右に備えている。該取付部８にはそれぞれ上下一対の孔部１０が形成され、該孔部にねじ等をさしこんで、壁面や支柱への固定を行う。
【００２０】
該ケーブル保持具６と壁面や支柱との取付面に対して平行に充電用ケーブル２を巻きとり、かつ、該充電用ケーブル２の先端にある充電用コネクタ１を、該巻き取り方向に沿って保持することにより、ケーブル保持具６の奥行き方向の幅を抑制することができる。
【００２１】
本発明の充電用ケーブル保持構造を構成するケーブル引掛け溝３は、該ケーブル保持具６の底面部７の両側に一対の立壁部４を形成して構成される。該底面部７は両端部をなだらかなＲ形状として形成し、ケーブル被覆の保護を図っている。
【００２２】
一対の立壁部４の上端部は、充電用コネクタ１の握手部１aを保持するための充電用コネクタ保持部５として形成される。該充電用コネクタ保持部５は、該ケーブル引掛け溝３の上端部で溝幅を拡張した略半円弧形状の溝部として形成することができる。図５に示すように、充電用コネクタ保持部５の４隅に充電用コネクタ１を支持するための支持部９を設け、該支持部９で充電用コネクタ１の握手部１aの端部と、張出部１ｂとを両側から一対で支える構造とすることもできる。
【００２３】
このとき、充電用コネクタ１は頭部１cが下向きに保持するものとすることが好ましい。すなわち、充電用コネクタ１は充電用ピンを備えた頭部１cと握手部１aとが略く字状に形成されていているため、握手部１ａを支持部９にて水平に保持するものとすればよい。この構造により、頭部１cに粉塵が溜まることを防ぐことができる。
【００２４】
また、上記の該充電用コネクタ保持部５を該ケーブル引掛け溝３の上端部に設ける形態には限定されない。コネクタ保持部５はケーブル引掛け溝３に沿った位置にあればよく、例えば、一対の立壁部４の側面に形成することもできる。この場合、支持部９が一対の立壁部４の側面より突出する形状とすることが好ましい。
【００２５】
図７には、カバーを備えたケーブル保持具の説明図を示している。
【００２６】
図７に示すように、一対の立壁部４の一方の上端に、収納された充電用コネクタ１を覆うためのカバーを形成することもできる。カバーは雨水が直接充電用コネクタ１に当たらないようにするものである。また、カバー１１に鍵を設けて充電用コネクタ１等の盗難を防止するものとしてもよい。この場合、一対の立壁部４の一方を他方より高く形成し略Ｌ字状のカバー１を回動自在とするヒンジ１２を取り付けることが好ましい。
【符号の説明】
【００２７】
１  充電用コネクタ
１a  握手部
１ｂ  張出部
１c  頭部
２  充電用ケーブル
３  ケーブル引掛け溝
４  立壁部
５  充電用コネクタ保持部
６  ケーブル保持具
７  底面部
９  支持腕部
８  取付部
１０  孔部
１１  カバー
１２  ヒンジ
【図１】
0005419214.tif 000002
【図２】
0005419214.tif 000003
【図３】
0005419214.tif 000004
【図４】
0005419214.tif 000005
【図５】
0005419214.tif 000006
【図６】
0005419214.tif 000007
【図７】
0005419214.tif 000008